(57)【要約】【課題】清潔にかつ素早く装着し取り外すことができる、装着交換作業性に優れた尿とりパッドを提供する。また、上記の優れた機能を維持して、さらに使用後に清拭しやすく、簡便に廃棄することができる尿とりパッドを提供する。【手段】トップシートと裏面シートと前記両シートの間に設けた吸収体とを有する尿とりパッドであって、前記裏面シート外側面に手を挿入するポケットを形成し、さらに該ポケットの外側に接着手段を設け、前記ポケットに手を入れて外包着衣の内側の所定位置に尿とりパッドを配置させ、押圧して前記接着手段により外包着衣に接着固定しうるようにした尿とりパッド。【選択図】図１
2008284288.tif 000002
【特許請求の範囲】
【請求項１】
トップシートと裏面シートと前記両シートの間に設けた吸収体とを有する尿とりパッドであって、前記裏面シート外側面に手を挿入するポケットを形成し、さらに該ポケットの外側に接着手段を設け、前記ポケットに手を入れて外包着衣の内側の所定位置に尿とりパッドを配置させ、押圧して前記接着手段により外包着衣に接着固定しうるようにしたことを特徴とする尿とりパッド。
【請求項２】
前記接着手段がズレ止め剤または粘着テープからなることを特徴とする請求項１に記載の尿とりパッド。
【請求項３】
前記外包着衣がテープ止めタイプもしくはパンツタイプのおむつであることを特徴とする請求項１または２記載の尿とりパッド。
【請求項４】
前記ポケットをミトン形状のポケット、手袋形状のポケット、またはベルト形状のポケットとしたことを特徴とする請求項１〜３のいずれか１項に記載の尿とりパッド。
【請求項５】
前記ポケットを尿とりパッド長手方向の両側に設けたことを特徴とする請求項１〜４のいずれか１項に記載の尿とりパッド。
【請求項６】
前記裏面シートと前記ポケットを形成するシートとが同じ材料からなることを特徴とする請求項１〜５のいずれか１項に記載の尿とりパッド。
【請求項７】
前記ポケットを形成するシートが撥水性の不織布または透湿性シートからなることを特徴とする請求項１〜６のいずれか１項に記載の尿とりパッド。
【請求項８】
前記ポケットを形成するシートが伸縮性材料からなることを特徴とする請求項１〜７のいずれか１項に記載の尿とりパッド。
【発明の詳細な説明】
【技術分野】
【０００１】
本発明は外包着衣の内側に装着して使用する尿とりパッドに関する。
【背景技術】
【０００２】
乳幼児や要介護の成人等においては、適切な排泄行為ができないため排泄物を吸収し保持しうるおむつが用いられ装着されるが、そのおむつの中に尿とりパッドを入れて使用することがある。特に成人用のおむつは乳幼児用のものに比し高価であり、使い捨てのものであっても排尿のたびに廃棄していたのでは経費が嵩む。そのため、上記の尿とりパッドを利用し、排尿の程度においてはパッドのみを交換して対応することがよくある。
【０００３】
図８は尿とりパッドの装着態様を説明するための、一般的な尿とりパッド及びおむつを装着前の状態（装着時の状態より少し開いた状態）で模式的に示した斜視図である。図示した尿とりパッド８０は長方形のものであり、表面シート８３、裏面シート８１、及びその両シートに挟まれた吸収体８４からなる。このとき表面シート８３を液体透過性のものとし、液体を透過して吸収体８４に吸収保持する。一方、裏面シート８１は液不透過性のものとして液漏れを防止する。この裏面シート８１側をおむつ９０の方に向け、おむつ９０の領域９１のあたりに尿とりパッド８０を沿えて、おむつ９０とともに装着する。図示したおむつ９０はテープ止めタイプのものであり、通常液透過性のトップシート９８、吸収体９７、及び裏面シート（図示せず）からなる。そして、例えば図示したもののように後身頃ｒ側にテープ９９が設けられていれば、おむつ９０を中心線ｃのあたりで緩やかに曲げながら股間に沿わせ、前身頃ｆ側に設けたテープ止め領域（図示せず）に上記テープ９９を接合させて装着する。このようにすることで、装着者の排泄領域に尿とりパッド８０が位置され装着される。
【０００４】
上述のように尿とりパッド８０はおむつ等の内側の所定の領域に適切に配置して装着しなければならないため、装着や交換に手間取ることがある。例えば重度の要介護の成人に装着させるようなときには、装着者の腰を抱えて浮かせ、かつ支えながら尿とりパッドの位置をあわせる必要があり、困難な作業を強いられる。排尿のたび、交換に手間取れば、介護者及び装着者ともに不便さや不快さを強く感じることもあり改善が求められる。
【０００５】
尿とりパッドについてみると、アウター物品に対しズレを防止するための接合手段を用いたズレ止め部を有し、前記ズレ止め部が、股間対応区域を避けて前側対応区域および後側対応区域に配置した前側ズレ止め部および後側ズレ止め部に分割した両ズレ止め部として設けられ、該両ズレ止め部の間に８０ｍｍ以上の距離を置き、該両ズレ止め部を合わせた長さがインナー物品本体の全長の３０％以上であるものが開示されている（特許文献１参照）。広範なズレ止め部（粘着テープ）が設けられており装着後の粘着固定性は維持されるものの、装着時や交換時の不便さを解決するものではない。むしろいたずらに周辺に粘着してしまうようであれば装着作業の阻害要因ともなる。
【０００６】
その他、パンツ内に装着し、着用者の腹部に当たる前面部と背部に当たる背面部と股間部に当たる中間部とを備えた使い捨ての尿とりパッドにおいて、尿とりパッドの中間部の裏面に輪ゴムが取り付けられたものが提案されている（特許文献２参照）。尿とりパッドの位置ずれが幾分抑制され、廃棄するときに丸めた物品を上記輪ゴムにより止めることができ多少の便利さがあるかもしれないが、上述のような尿とりパッドの装着時や交換時の不都合は解消されない。
【０００７】
他方、使い捨ておむつの廃棄時の利便性の改善についてみると、例えば、おむつ本体、該本体上の外部表面、及び該外部表面上に配され、裏返しておむつの本体を内部に収納できるポケットを有してなる使い捨ておむつがある（特許文献３参照）。また、ヒトの指の根もと関節に当る部位から手の挿入口に至る部分の内周のサイズを、ヒトが小さく畳まれた紙おむつを指で持った状態でのヒトの手の、指の根もと関節部分の略外周長以上の長さのものとし、且つヒトの前膊部に当たる部分の長さをヒトの前膊部の長さの略半分以上の長さとなるようにするとともに、不透水性の薄いシート又はフィルムで構成された紙おむつ付属手袋がある（特許文献４参照）。またおむつ以外のものでは、生理用ナプキンの裏にポケットをつけたものもある（特許文献５参照）。しかしながら、これらのものは尿とりパッドに関するものではなく、ましてその装着・交換時の不都合を解消するものではない。
【特許文献１】特開２００５−１４３８７８号公報
【特許文献２】特開２００２−１１９５２８号公報
【特許文献３】特開平１１−１９１２５号公報
【特許文献４】実開平５−３９５３２号公報
【特許文献５】実用新案第３０２０５４１号公報
【発明の開示】
【発明が解決しようとする課題】
【０００８】
本発明は、清潔にかつ素早く装着し取り外すことができる、装着交換作業性に優れた尿とりパッドの提供を目的とする。また本発明は、上記の優れた機能を維持して、さらに使用後に清拭しやすく、簡便に廃棄することができる尿とりパッドの提供を目的とする。
【課題を解決するための手段】
【０００９】
本発明の上記の目的は、トップシートと裏面シートと前記両シートの間に設けた吸収体とを有する尿とりパッドであって、前記裏面シート外側面に手を挿入するポケットを形成し、さらに該ポケットの外側に接着手段を設け、前記ポケットに手を入れて外包着衣の内側の所定位置に尿とりパッドを配置させ、押圧して前記接着手段により外包着衣に接着固定しうるようにした尿とりパッドにより達成された。
【発明の効果】
【００１０】
本発明の尿とりパッドは、装着者の複雑な体形にそって動かしたり、人体やおむつに押し付けたりする取り扱い性が高く、清潔にかつ素早く装着及び取り外しができ、その装着交換作業性を向上するという優れた効果を奏する。また本発明の尿とりパッドは、上記の優れた装着交換作業性を維持して、人体の所望の位置に確実に動かして作業することができ、使用後の尿とりパッドの汚れていない部分で肌を清拭しやすく、また必要に応じてコンパクトにして清潔かつ簡便に廃棄することができる。
【発明を実施するための最良の形態】
【００１１】
以下、本発明について詳細に説明する。
図１は本発明の尿とりパッドの好ましい実施形態を裏面シート側から模式的に示した平面図である。本実施形態の尿とりパッド１０はパッド本体７を有する。パッド本体７は裏面シート１、トップシート２、及び両シートの間に設けた吸収体４からなり、本実施形態においてはさらに任意のサイドシート２が設けられている。このサイドシート２は必要に応じて設ければよく、例えば後述する立体ギャザー１１（図２参照）を形成する上でサイドシート２を別途設けたセパレート構造とすることが好ましい。
【００１２】
トップシート３の材料は特に限定されず、通常の材料を用いればよいが、織布または不織布などの透液性材料からなることが好ましく、液透過性の不織布を用いることがより好ましい。トップシート３の大きさは特に限定されないが、図示したもののように吸収体４よりも大きな面積を有するものとし、吸収体４を覆うように配設することが好ましい。
裏面シート１の材料は特に限定されず、通常の材料を用いればよいが、撥水性の不織布または透湿シートからなることが好ましく、撥水性の不織布としては、ポリオレフィンからなるスパンボンド不織布やエアスルー不織布、スパンボンドメルトブローン-スパンボンド（ＳＭＳ）不織布などが挙げられ、透湿シートとしては、熱可塑性樹脂、フィラ−などからなる多孔性シートなどが挙げられる。裏面シート１の形状は特に限定されないが、吸収体４を覆うように吸収体より大きな面積を有するものとすることが好ましい。
吸収体４の材料は特に限定されず、通常の材料を用いればよく、高分子吸収材、綿状パルプ等を用いることが好ましい。
パッド本体７の形状は特に限定されないが、通常のおむつ等の内側に沿わして使用することを考慮し長方形や瓢箪形状、羽子板形状にすることが好ましい。パッド本体の大きさは特に限定されないが、成人用のものでいうと、横幅（Ｘ方向）130〜320ｍｍ、長さ（Ｙ方向）350〜650ｍｍのものが好ましい。
【００１３】
本実施形態の尿とりパッド１０は、上記のパッド本体７の裏面シート１の外側面にポケットシート５を設けてポケット１４が形成されている。ポケットシート５は裏面シート１にシール線５ａの外側のサイドシール部で接合固定されている。これによりポケット開口部８からポケット１４に手を入れることができる。
ポケット１４を形成するポケットシート５の材料は特に限定されず、通常の材料を用いればよいが、上述の裏面シート１と同じ材料を用いることが好ましい。本実施形態においては上述のようにポケットシート５を裏面シート１に別々のシートとして接合固定したが、裏面シート１とポケットシート５とが連続する１枚のシートを用い折り返して必要な部分のみを接合固定してポケット形状とした一体型ポケット構造であってもよい。
ポケットシート５の大きさは特に限定されないが、例えば、横幅（Ｘ方向）をパッド本体７と同じ幅とすることが実際的であり、長さ（Ｙ方向）は150〜230ｍｍ程度とすることにより成人の介護者が手を入れて作業をするのに適している。
【００１４】
前記ポケットシート５の外側には粘着手段６が設けられている。本実施形態の尿とりパッド１０においては、略正方形の粘着手段とされている。粘着手段６はズレ止め剤または粘着テープからなるものであることが好ましい。粘着手段６を設ける位置、あるいはその大きさや形状は特に限定されないが、ポケットシート５より小さいことが実際的である。後述するように手背（手の甲）でポケットシート５を押し上げておむつに圧着することを考慮し、ポケットに手を入れたときに手背にあたる部分に粘着手段６を設けることが好ましい。したがって、粘着手段６の大きさは成人の手背の大きさより小さいことが好ましく、成人の手背の半分程度の面積とすることがより好ましい。粘着手段６の形状は図示したもののような正方形のものであっても、その他、長方形のものであっても、円形であってもよい。
【００１５】
図２は図１のＩＩ−ＩＩ線断面を示す拡大断面図である。上述のように、本実施形態の尿とりパッド１０においては、裏面シート１とポケットシート５とに包まれたポケット１４が保持されている（本発明において「ポケット」とは、ポケットシート及びそれにより包まれた少なくとも一部に開口部を有する空間を意味し、開口部を１つ設けた図１に示した形態の袋状ポケットだけではなく、開口部を２つ設けた図５に示した形態のベルト状ポケットを含む。）。このとき、シール線５ａの外側のサイドシール部１２においては、上記裏面シート１とポケットシート５とが、サイドシート２とともに接合固定されている。
【００１６】
サイドシート２は必要に応じて設ければよいが、図示したもののようにサイドシート２がトップシート３の外側の縁を覆うように配設し、両シートを接合部１５により接合固定することが好ましい。そして、さらにその接合部１５を越えてサイドシート２を中央方向に非接着状態で立てて延ばし、その端部に長尺の弾性部材１３を配設して立体ギャザー１１とすることが好ましい。このようにすることで排泄液等を横漏れさせず、優れた液漏れ防止性を実現することができる。弾性部材１３としては通常のものを用いればよく、図示したもののように断面が略円形の伸縮性材料をシート２により包み込み接着することが好ましい。サイドシート２の材料は特に限定されないが、例えば撥水性不織布を用いることが好ましい。
【００１７】
図３は本実施形態の尿とりパッドを装着もしくは取り外すときの好ましい態様を模式的に示す部分斜視図である。同図においてはポケットシート５及び裏面シート１により形成されたポケット１４に介護者（成人）の手２１が入れられた状態を示している。そして介護者の下膊２２は広範にパッド本体に沿わしたり、離したりして、尿とりパッドを自在に動かすことができる。具体的には、ポケットに入れた手２１を左右及び前後に動かしたとき、その動作に従って尿とりパッドがＸ方向及びＹ方向に移動する。これによりポケットを設けないで尿とりパッドを移動させるのに比べ、大幅に操作性が向上し、素早く所望の位置に尿とりパッドを設置することができる。
【００１８】
装着者が成人の要介護者のときに、装着者が横になった状態で尿とりパッドを装着したり交換したりすることがある。このようなときには介護者の腕を大きく伸ばして装着者の腹側から背側へと尿とりパッドを渡さなければならない。しかも複雑な形状の股間部分に確実にフィットするようにしなければ排泄物の横漏れなど起こしてしまうことがある。直接見ることができない背後にまで手探りで尿とりパッドを配置しなければならないこともあり、作業に困難を要するが、このようなときにも本発明の尿とりパッドにおいてはポケットに入れた手を動かした方にパッド本体が確実に移動するため、素早くかつ確実に所望の位置に尿とりパッドを配設することができる。
【００１９】
本実施形態の尿とりパッドにおいては、さらにポケット内の手を手背側に動かして、ポケットシート５を外包着衣に押圧することができる。具体的には、図２に示した断面図でいうＺ方向にポケットシート５を動かして、パッド本体を所定の位置に配置した後、外包着衣に粘着手段６を押し付けて、しっかりと固着することができる。したがって図３に示したように手背をポケットシート５側に向けてポケット１４に挿入し、手掌を装着者（要介護者）の方に向けることにより、例えば臀部から腰にかけての複雑な形状の場所でも確実に沿わせながら所定の位置にパッド本体を移動することができる。そして、位置決めができたところで、そのまま、手背を押し付けて外包着衣に粘着手段６を固定することができる。このように本発明によれば、尿とりパッドの装着における一連の動作を途切れることなく行うことができる。すなわちポケットと粘着手段との相互作用により素早く確実に尿とりパッドを装着あるいは交換しうる。
ここで外包着衣とは尿とりパッドの外側に装着して尿とりパッドを固定しうるものであればよく、例えば、おむつに限らず通常のパンツなど股下に着用するものを広く含む。なかでも外包着衣としてはおむつを用いることが通常であり、使い捨ておむつが最近は用いられる。使い捨ておむつとしては通常のものであれば特に限定されず、テープタイプおむつ９０であっても、パンツタイプおむつであってもよい。
【００２０】
また使用後の尿とりパッドを取り外すときにも上述したように装着者の背後に腕を伸ばして作業することがある。不用意に介護者の手掌からパッド本体がずれると、装着者に介護者が触れてしまったり、場合によっては排泄物を触れてしまったりすることともなる。
これに対し、本発明の尿とりパッドによれば、ポケットに入れた手が、外に出てしまうことはほぼない。確実なパッド取り外し作業を素早く行うことができ、介護者及び装着者にとって快適なものとなる。
さらに、尿とりパッドを使用後に取り外すときには、そのトップシート３側のポケットにあたる部分が排泄物等により汚れていなければ、その部分により清拭を行うことができる。特に、通常、尿とりパッドは中央付近に排泄液等が集中するように位置して着けられるため、本実施形態のようにポケットを端部に設けることにより上記清拭を適切に行うことができ好ましい。
【００２１】
図４は本発明の尿とりパッドの別の好ましい実施形態を裏面シート側から模式的に示した平面図である。本実施形態の尿とりパッド２０においては、ポケットシート５と裏面シート１との接着固定部分がシール線５ａで示したようにミトン形状にされている。これによりミトン形状のポケット１４が形成され、手を入れたときのフィット性が高く、一層尿とりパッドを移動しやすく、取り扱い性を向上させている。また、ポケット１４を上述のシート形状のほか手袋形状とすることも好ましい。手袋形状とすればポケット内で指の１本１本を嵌め込むのに時間を要することもあるが、一度嵌め込むとしっかりとフィットしさらに取り扱い性が高まる。
【００２２】
図５は本発明の尿とりパッドのさらに別の好ましい実施形態を裏面シート側から模式的に示した平面図である。本実施形態の尿とりパッド３０においては、ポケットシート５と裏面シート１との接着固定において、シール線５ａで示されたとおり、パッド本体７の両サイド部７ｂ及び７ｃの近傍においてのみ固定されている。したがってポケットシート５及び裏面シート１で形成されたポケット１４は２つの開口部８ａ及び８ｂを有するベルト形状となっている。このようにすることで、手のポジションを変えて尿とりパッドの装着・交換作業を行うことができる。すなわち、手をポジション５１に移動してパッド本体の縁７ａをしっかりと握り締め、尿とりパッドを前方（Ｙ方向）に力強く移動することができる。例えば尿とりパッドの装着者が腰を浮かせることのできない重度の要介護者であり、介護者があまり力のない女性のようなときでも、パッド本体をしっかり握って、装着者の腰とベッドに押し付けられた外包着衣との隙間に押し込むことができる。その後、手をポジション５２に位置し左右（Ｘ方向）に動かし位置決めをすることができ、続けて手背によりポケットシート５を押し付けて（図２に示したＺ方向の移動）外包着衣に確実に接着固定することができる。
【００２３】
図６は本発明の尿とりパッドのさらにまた別の好ましい実施形態を裏面シート側から模式的に示した平面図である。本実施形態においてはポケットシート５がパッド本体の縁７ａ側と縁７ｄ側との両方に設けられている。そして、長さのある尿とりパッド４０において、パッド本体の中央７ｅ側から両縁部７ａ及び７ｄに向かってポケットに手を入れられるようにされている。このようにすることで例えばパッド本体の縁７ａ側と縁７ｄ側とでトップシート３側の構造（図示せず）を変え、Ｙ方向において非対称な尿とりパッドとしたときにも、必要に応じて縁７ａ側のポケットに手を入れて操作するか（ポジション６１）、縁７ｄ側のポケットに入れて操作するか（ポジション６２）適宜選択することができる。特に男女共用の尿とりパッドであるが、男女のいずれかにより装着の方向がＹ方向で異なるときには、本実施形態の尿とりパッド４０を用いることが好ましい。
【００２４】
図７は本発明の尿とりパッドをコンパクトにした状態を模式的に示す斜視図である。同図に示したように、本発明の尿とりパッドは上述したいずれの実施形態の尿とりパッド１０、２０、３０、４０においても図示したような状態にすることができる。具体的には例えば、パッド本体７を裏面シート１が外側になるよう丸め込む（もしくは畳み込む）。そうすることで排泄物等で汚れたトップシート３側は渦巻き部７２に示した内部に保持されるため、作業者の手を汚すようなことがない。そしてポケットシート５を裏返すようにして丸め込んだパッド本体７を収納すれば図７に示したような廃棄しやすいコンパクトな状態とすることができる。このときポケットシート５を伸縮性シートにすれば裏返しやすく、丸め畳まれたパッド本体７を包み込むように収納することができる。
【００２５】
このように本発明によれば、尿とりパッドにポケット及び粘着手段を所定の形態で設けたことにより、上述したような装着及び取り外しの作業性が大幅に向上するだけでなく、さらにコンパクトにして清潔かつ簡便に廃棄することができる。
【図面の簡単な説明】
【００２６】
【図１】本発明の尿とりパッドの好ましい実施形態を裏面シート側から模式的に示した平面図である。
【図２】図１のＩＩ−ＩＩ線断面を示す拡大断面図である。
【図３】本実施形態の尿とりパッドを装着もしくは取り外すときの好ましい態様を模式的に示す部分斜視図である。
【図４】本発明の尿とりパッドの別の好ましい実施形態を裏面シート側から模式的に示した平面図である。
【図５】本発明の尿とりパッドのさらに別の好ましい実施形態を裏面シート側から模式的に示した平面図である。
【図６】本発明の尿とりパッドのさらにまた別の好ましい実施形態を裏面シート側から模式的に示した平面図である。
【図７】本発明の尿とりパッドをコンパクトにした状態を模式的に示す斜視図である。
【図８】尿とりパッドの装着態様を説明するための、一般的な尿とりパッド及びおむつを模式的に示した斜視図である。
【符号の説明】
【００２７】
１  裏面シート
２  サイドシート
３  トップシート（表面シート）
４  吸収体
５  ポケットシート
６  粘着手段
７  パッド本体
８  ポケット開口部
１１  立体ギャザー
１２  サイドシール部
１３  弾性部材
１４  ポケット
２１  手（掌）
２２  下膊
【図１】
2008284288.tif 000003
【図２】
2008284288.tif 000004
【図３】
2008284288.tif 000005
【図４】
2008284288.tif 000006
【図５】
2008284288.tif 000007
【図６】
2008284288.tif 000008
【図７】
2008284288.tif 000009
【図８】
2008284288.tif 000010